(57)【要約】【課題】ぎらつきが無く落ち着いた金属調の風合いの意匠を文字板表面に低コストで具現することができ、しかも、金属調の風合いの品質を維持し易い指示計器用文字板を提供すること。【解決手段】透明又は半透明の材料で板状に形成されると共にその表面側には計測値の報知に必要な文字や目盛等が配置されて、裏面に指示計器内の光源４３からの文字板照明光ｃ１が照射される基板２３と、外来光ｃ２をヘアライン状の凹凸によって拡散させることで基板２３の表面に金属調の風合いを醸し出すヘアライン処理面２７と、を備える指示計器用文字板２０において、基板２３の表面に微細な筋状の溝２７ａを形成することで、基板２３の表面自体がヘアライン処理面２７に仕上げられた基板２３と、スパッタリングによってヘアライン処理面２７の上を覆う薄膜状に形成されたハーフミラー層２８と、を備える。【選択図】図２
2014032089.tif 000002
【特許請求の範囲】
【請求項１】
透明又は半透明の材料で板状に形成されると共にその表面側には計測値の報知に必要な指標が配置されて、裏面に指示計器内の光源からの文字板照明光が照射される基板と、
前記指示計器の外部から前記基板の表面に入射する外来光をヘアライン状の凹凸によって拡散させることで前記基板の表面に金属調の風合いを醸し出すヘアライン処理面と、
を備える指示計器用文字板であって、
前記基板の表面に微細な筋状の溝を形成することで、前記基板の表面自体が前記ヘアライン処理面に仕上げられた前記基板と、
スパッタリングによって前記ヘアライン処理面の上を覆う薄膜状に形成されて、前記外来光の一部を前記基板内に透過させると共に、前記外来光の一部を反射するハーフミラー層と、
を備えることを特徴とする指示計器用文字板。
【請求項２】
前記光源と対向する前記基板の裏面の一部に設定された第１領域に装備されて前記第１領域を前記光源の照明光が透過しない遮光領域に仕上げる遮光層と、
前記基板の裏面の前記第１領域を除く領域である第２領域の一部に設定される第３領域に前記照明光が透過可能に装備されて、前記第３領域を透過する前記照明光を所定の色彩に着色して前記基板を透過させる着色層と、
を備えることを特徴とする請求項１に記載の指示計器用文字板。
【発明の詳細な説明】
【技術分野】
【０００１】
本発明は、表面側には計測値の報知に必要な文字や目盛等が配置されて指示計器に組み込まれる指示計器用文字板に関する。
【背景技術】
【０００２】
図５及び図６は、車両において走行速度を計測して指示する指示計器としての速度計１０１の一般的な構造を示したものである。
【０００３】
この速度計１０１は、ケース１１１と、このケース１１１の前面側に取り付けられる指示計器用文字板１２１と、指示計器用文字板１２１を回動自在に挿通する指針軸１３１の先端に固定装備される指針１３２と、指針１３２（指針軸１３１）を回転駆動するための内機（モータ）１４１や内機１４１の動作を制御する制御回路などを搭載した制御基板１４２と、指示計器用文字板１２１の上部前方に延びる庇状にケース１１１の前端部に取り付けられた見返し１５１と、指示計器用文字板１２１の前方を覆うように見返し１５１の前端縁に取り付けられた透明カバー１６１と、を備えている。
【０００４】
ケース１１１は、前述した制御基板１４２や指示計器用文字板１２１を収容する筐体である。このケース１１１は、制御基板１４２と指示計器用文字板１２１とを間を区画するケース内底壁１１２を有している。また、ケース１１１は、着脱可能な底部カバー１１３により、底部側が開閉可能になっている。
【０００５】
ケース内底壁１１２と底部カバー１１３との間の空間１１５は、制御基板１４２を収容する空間である。
【０００６】
ケース内底壁１１２は、指示計器用文字板１２１側に凹の椀形で、中央部には、開口１１６が装備されている。この開口１１６は、内機１４１の駆動軸部が挿通可能に形成されていて、指針軸１３１と内機１４１の駆動軸部との結合を可能にしている。
【０００７】
また、ケース内底壁１１２の開口１１６は、制御基板１４２上に搭載された第１の光源１４３，１４４が挿通するように、形成されている。第１の光源１４３，１４４は、指示計器用文字板１２１を照明するための光源である。
【０００８】
指示計器用文字板１２１の裏面に対向するケース内底壁１１２の表面１１２ａは、第１の光源１４３，１４４の照明光を指示計器用文字板１２１の裏面の全域に分配するリフレクタとして機能する。
【０００９】
指示計器用文字板１２１は、図５に示すように、その表面側に、計測値の報知に必要な文字１２２ａや目盛１２２ｂ等の指標１２２が配置される。文字１２２ａや、目盛１２２ｂは、指示計器用文字板１２１の表面に、指針１３２の回転中心を中心とする円周状に配置されている。
【００１０】
また、指示計器用文字板１２１の裏面１２１ｂの一部には、地色となる着色が施される。
【００１１】
また、指示計器用文字板１２１には、図５及び図６に示すように、計測情報を表示するＬＣＤ（液晶ディスプレイ）ユニット１８０を配置する透明な窓部１２４が設けられる。ＬＣＤユニット１８０は、図６に示すように、制御基板１４２上に搭載されている。制御基板１４２には、ＬＣＤユニット１８０に照明光を照射する第２の光源１８１も搭載されている。
【００１２】
車両に搭載される速度計１０１では、機能性だけでなく、運転席のデザインに適合する高級感を醸し出すような意匠的な要素も、重要視される。
【００１３】
最近の速度計１０１では、速度計１０１に高級な重厚感を付与するために、指示計器用文字板１２１に金属調の風合いを持たせる方法が提案されている。
【００１４】
図７は、金属調の風合いを持たせた指示計器用文字板の従来例を示している。
図７に示した指示計器用文字板１２１Ａは、下記特許文献１に開示されたもので、図６に示した指示計器用文字板１２１として、使用される。
【００１５】
この指示計器用文字板１２１Ａは、図７に示すように、基板２１０と、ハーフミラー層２２０と、遮光層２３０と、着色層２４０と、スモーク層２５０と、ヘアライン処理面２６０と、を備えている。
【００１６】
基板２１０は、透明又は半透明の材料で板状に形成されている。この基板２１０の表面側には、図５に示した文字１２２ａや目盛１２２ｂ等の指標１２２が配置される。この基板２１０は、裏面に、制御基板１４２に搭載された第１の光源１４３，１４４からの文字板照明光ｃ１が照射される。
【００１７】
ハーフミラー層２２０は、基板２１０の裏面に積層状態に装備される。このハーフミラー層２２０は、指示計器の外部から基板２１０の表面に入射する外来光ｃ２を基板２１０の裏面で反射する。また、このハーフミラー層２２０は、第１の光源１４３，１４４から照射される文字板照明光ｃ１を透過させる。ハーフミラー層２２０を透過して基板２１０に入射した文字板照明光ｃ１は、そのまま基板２１０の表面側に出射されて、基板２１０内の文字板照明光ｃ１の透過範囲を発光させる。
【００１８】
遮光層２３０は、第１の光源１４３，１４４と対向する基板２１０の裏面の一部に設定された第１領域Ｓ１に積層状態に装備されて、第１領域Ｓ１を第１の光源１４３，１４４の文字板照明光ｃ１が透過しない遮光領域に仕上げる。
【００１９】
着色層２４０は、基板２１０の裏面の第１領域Ｓ１を除く領域である第２領域Ｓ２の一部に設定される第３領域Ｓ２３に、積層状態に装備される。この着色層２４０は、照明光が透過可能な樹脂材料により形成される層である。この着色層２４０は第３領域Ｓ２３を透過する文字板照明光ｃ１を所定の色彩に着色して基板２１０を透過させる。従って、基板２１０上の第３領域Ｓ２３に設定された範囲は、着色層２４０の色彩に発色して、彩色による視認性の向上等を果たす。
【００２０】
スモーク層２５０は、半透明の樹脂層で、基板２１０の表面における外来光ｃ２の反射を弱めるために設けられている。このスモーク層２５０は、後述するヘアライン処理面２６０における外来光ｃ２の反射を弱めて、過度の反射による文字板表面のぎらつきを防止する役割を果たす。
【００２１】
ヘアライン処理面２６０は、特許文献１の場合、スモーク層２５０の表面に形成したヘアライン状の凹凸面である。このヘアライン処理面２６０は、印刷処理によって、スモーク層２５０の表面にヘアライン状に突起２６１を形成したものである。ヘアライン処理面２６０は、基板２１０の表面に入射する外来光ｃ２をヘアライン状の凹凸によって拡散させることで、基板２１０の表面に金属調の風合いを醸し出す。
【先行技術文献】
【特許文献】
【００２２】
【特許文献１】特開２００８−８９４７９号公報
【発明の概要】
【発明が解決しようとする課題】
【００２３】
ところが、特許文献１の指示計器用文字板１２１Ａの場合、スモーク層２５０を装備せずに、突起２６１を基板２１０の表面に直接形成した構造にすると、基板２１０の表面における外来光ｃ２の拡散反射が強すぎて、ぎらつきが発生してしまう。このぎらつきを防止するためには、特許文献１のように、スモーク層２５０の装備が必要不可欠となり、スモーク層２５０を装備する工程の追加のために、指示計器用文字板１２１Ａの製造工程が増加して、コストアップを招くという問題が生じた。
【００２４】
また、特許文献１の指示計器用文字板１２１Ａの場合、金属調の風合いを醸し出すヘアライン処理面２６０が、指示計器用文字板１２１Ａの表面に露出するため、保管時等に突起２６１に周囲の器物が接触することで、一部の突起２６１に汚損が発生するおそれがあった。そして、一部の突起２６１に汚損が発生することで、例えば、指示計器用文字板１２１Ａの表面の一部域において金属調の風合いの品質が低下するおそれがあった。
【００２５】
そこで、本発明の目的は、上記課題を解消することに係り、ぎらつきが無く落ち着いた金属調の風合いの意匠を文字板表面に低コストで具現することができ、しかも、金属調の風合いの品質を維持し易い指示計器用文字板を提供することにある。
【課題を解決するための手段】
【００２６】
本発明の前述した目的は、下記の構成により達成される。
（１）  透明又は半透明の材料で板状に形成されると共にその表面側には計測値の報知に必要な指標が配置されて、裏面に指示計器内の光源からの文字板照明光が照射される基板と、
前記指示計器の外部から前記基板の表面に入射する外来光をヘアライン状の凹凸によって拡散させることで前記基板の表面に金属調の風合いを醸し出すヘアライン処理面と、
を備える指示計器用文字板であって、
前記基板の表面に微細な筋状の溝を形成することで、前記基板の表面自体が前記ヘアライン処理面に仕上げられた前記基板と、
スパッタリングによって前記ヘアライン処理面の上を覆う薄膜状に形成されて、前記外来光の一部を前記基板内に透過させると共に、前記外来光の一部を反射するハーフミラー層と、
を備えることを特徴とする指示計器用文字板。
【００２７】
（２）  前記光源と対向する前記基板の裏面の一部に設定された第１領域に装備されて前記第１領域を前記光源の照明光が透過しない遮光領域に仕上げる遮光層と、
前記基板の裏面の前記第１領域を除く領域である第２領域の一部に設定される第３領域に前記照明光が透過可能に装備されて、前記第３領域を透過する前記照明光を所定の色彩に着色して前記基板を透過させる着色層と、
を備えることを特徴とする上記（１）に記載の指示計器用文字板。
【００２８】
上記（１）の構成によれば、文字板表面に金属調の風合いの意匠を醸し出すヘアライン状の凹凸構造は、基板の表面に微細な筋状の溝を設けることで形成する。即ち、基板の表面自体が、ヘアライン処理面となっている。そして、このヘアライン処理面の上には、スパッタリングによってハーフミラー層が形成されており、このハーフミラー層が、ヘアライン処理面に入射する外来光を弱める。従って、特に外来光を弱めるスモーク層を装備せずとも、基板表面における外来光の拡散反射が抑えられ、ぎらつきの発生を防止することができる。
【００２９】
即ち、スモーク層を設けずとも、ぎらつきが無く落ち着いた金属調の風合いの意匠を、文字板表面に具現することができ、従来では装備していたスモーク層を省略することで、指示計器用文字板の製造工程を簡略化して、指示計器用文字板の製造コストを低減することができる。従って、ぎらつきが無く落ち着いた金属調の風合いの意匠を、文字板表面に低コストで具現することができる。
【００３０】
また、金属調の風合いの意匠を醸し出すヘアライン状の凹凸構造は、その上を覆うハーフミラー層が保護する。そのため、保管時等に、ヘアライン状の凹凸構造が周囲の器物との接触により汚損することを防止することができる。言い換えれば、金属調の風合いの品質が、ヘアライン状の凹凸構造の汚損によって文字板の表面の一部域で低下するといった不具合の発生を防止することができる。
【００３１】
そのため、金属調の風合いの品質を維持し易く、指示計器用文字板における品質管理を容易にすることができる。
【００３２】
上記（２）の構成によれば、指示計器用文字板の裏面に文字板照明光が照射されない支持計器の非動作時には、指示計器において、ぎらつきが無く落ち着いた金属調の風合いの意匠を付与することができる。そして、指示計器用文字板の裏面に文字板照明光が照射される支持計器の動作時には、指示計器用文字板上に設定した第３領域を着色層の色彩に発色させることができるため、第３領域の形状や、着色層における色彩を設計変更することで、指示計器において、発色域や発色する色彩が異なる多種の指示計器用文字板を比較的容易に提供することが可能になり、指示計器の仕様変更等への対応を容易にすることができる。
【発明の効果】
【００３３】
本発明による指示計器用文字板によれば、文字板表面に金属調の風合いの意匠を醸し出すヘアライン状の凹凸構造は、基板の表面に微細な筋状の溝を形成することで形成する。即ち、基板の表面自体が、ヘアライン処理面となっている。そして、このヘアライン処理面の上には、スパッタリングによってハーフミラー層が形成されており、このハーフミラー層が、ヘアライン処理面に入射する外来光を弱める。従って、特に外来光を弱めるスモーク層を装備せずとも、基板表面における外来光の拡散反射が抑えられ、ぎらつきの発生を防止することができる。
【００３４】
即ち、スモーク層を設けずとも、ぎらつきが無く落ち着いた金属調の風合いの意匠を、文字板表面に具現することができ、従来では装備していたスモーク層を省略することで、指示計器用文字板の製造工程を簡略化して、指示計器用文字板の製造コストを低減することができる。従って、ぎらつきが無く落ち着いた金属調の風合いの意匠を、文字板表面に低コストで具現することができる。
【００３５】
また、金属調の風合いの意匠を醸し出すヘアライン状の凹凸構造は、その上を覆うハーフミラー層が保護する。そのため、保管時等に、ヘアライン状の凹凸構造が周囲の器物との接触により汚損することを防止することができる。言い換えれば、金属調の風合いの品質が、ヘアライン状の凹凸構造の汚損によって文字板の表面の一部域で低下するといった不具合の発生を防止することができる。
【００３６】
そのため、金属調の風合いの品質を維持し易く、指示計器用文字板における品質管理を容易にすることができる。
【００３７】
以上、本発明について簡潔に説明した。更に、以下に説明される発明を実施するための形態（以下、「実施形態」という。）を添付の図面を参照して通読することにより、本発明の詳細は更に明確化されるであろう。
【図面の簡単な説明】
【００３８】
【図１】図１は本発明に係る指示計器用文字板が使用される指示計器の一実施形態である速度計の正面図である。
【図２】図２は図１の速度計に使用された指示計器用文字板の構造を示す縦断面図である。
【図３】図３は図１に示した速度計の非動作時における指示計器用文字板の正面からの外観の説明図である。
【図４】図４は図１に示した速度計の動作時における指示計器用文字板の正面からの外観の説明図である。
【図５】図５は従来の指示計器としての車両用の速度計の正面図である。
【図６】図６は図５に示した速度計の縦断面図である。
【図７】図７は金属調の風合いを醸し出す従来の指示計器用文字板の構造を示す縦断面図である。
【発明を実施するための形態】
【００３９】
以下、本発明に係る指示計器用文字板の好適な実施形態について、図面を参照して詳細に説明する。
【００４０】
図１〜図４は本発明に係る指示計器用文字板の一実施形態を示したもので、図１は本発明に係る指示計器用文字板が使用される指示計器の一実施形態である速度計の正面図、図２は図１の速度計に使用された指示計器用文字板の構造を示す縦断面図、図３は図１に示した速度計の非動作時における指示計器用文字板の正面からの外観の説明図、図４は図１に示した速度計の動作時における指示計器用文字板の正面からの外観の説明図である。
【００４１】
図１に示した速度計は、車両用の速度計１で、不図示のケースの前端部に取り付けられる見返し５１の内側に、指示計器用文字板２０が装備されている。
【００４２】
指示計器用文字板２０は、図１に示すように、その表面側に、計測値（車両の走行速度）の報知に必要な文字２１ａや目盛２１ｂ等の指標２１が配置される。文字２１ａや、目盛２１ｂは、指示計器用文字板２０の表面に、指針３２の回転中心を中心とする円周状に配置されている。
【００４３】
また、本実施形態の場合も、指示計器用文字板２０には、図１に示すように、計測情報を表示するＬＣＤ（液晶ディスプレイ）ユニット８０を配置する透明な窓部２０ａが設けられる。
【００４４】
なお、速度計１における各構成部材の説明は省略するが、不図示のケースや、該ケースの前端部に取り付けられる見返し５１、指針３２などの構造は、図６に示した速度計１０１と同様で良い。
【００４５】
本実施形態における指示計器用文字板２０は、図２に示すように、基板２３と、遮光層２４と、着色層２５と、ヘアライン処理面２７と、ハーフミラー層２８と、を備えている。
【００４６】
基板２３は、透明又は半透明の材料で板状に形成されている。この基板２３の表面側には、図１に示した文字２１ａや目盛２１ｂ等の指標２１が配置される。この基板２３は、裏面に、制御基板４２に搭載された第１の光源４３からの文字板照明光ｃ１が照射される。
【００４７】
制御基板４２は、図６に示した制御基板１４２に相当する部品である。第１の光源４３は、図６に示した第１の光源１４３，１４４に相当する部品である。
【００４８】
遮光層２４は、第１の光源４３と対向する基板２３の裏面の一部に設定された第１領域Ｓ１に積層状態に装備されて、第１領域Ｓ１を第１の光源４３の照明光ｃ１が透過しない遮光領域に仕上げる。
【００４９】
着色層２５は、基板２３の裏面の第１領域Ｓ１を除く領域である第２領域Ｓ２の一部に設定される第３領域Ｓ２３に、積層状態に装備される。この着色層２５は、照明光ｃ１が透過可能な樹脂材料の塗布（印刷処理）により形成される層である。この着色層２５は、第３領域Ｓ２３を透過する照明光ｃ１を、所定の色彩に着色して基板２３を透過させる。従って、基板２３上の第３領域Ｓ２３に設定された範囲は、着色層２５の色彩に発色して、彩色による視認性の向上等を果たす。
【００５０】
第２領域Ｓ２の内、第３領域Ｓ２３に設定されていない領域（図２の領域Ｓ２２）は、着色層が形成されず、第１の光源４３からの文字板照明光ｃ１をそのまま基板２３に透過させる。第２領域Ｓ２の一部である領域Ｓ２２は、例えば、図１に示した窓部２０ａとして利用される。
【００５１】
ヘアライン処理面２７は、本実施形態の場合、旋盤等の工作機械で基板２３の表面に微細な筋状の多数の溝２７ａを形成することで、基板２３の表面に形成したヘアライン状の凹凸面である。言い換えると、本実施形態の場合、基板２３の表面自体が、ヘアライン処理面２７に仕上げられている。
【００５２】
ヘアライン処理面２７を設けることで、基板２３の表面に入射する外来光ｃ２がヘアライン状の凹凸によって拡散される。その結果、基板２３の表面にはつや消しの効果が生まれると共に、金属的な質感を強調する効果が生じる。即ち、ヘアライン処理面２７は、基板２３の表面に入射する外来光ｃ２をヘアライン状の凹凸によって拡散させることで、基板２３の表面に金属調の風合いを醸し出す。
【００５３】
ハーフミラー層２８は、ヘアライン処理面２７の表面を覆うように、基板２３の表面に積層状態に装備される。本実施形態の場合、ハーフミラー層２８は、スパッタリングによってヘアライン処理面２７の上を覆う薄膜状に形成される。そして、このハーフミラー層２８は、外来光ｃ２の一部を基板２３内に透過させると共に、外来光の一部は反射するように、形成される。
【００５４】
以上に説明した指示計器用文字板２０は、第１の光源４３から文字板照明光ｃ１の照明を受けない速度計１の非動作時には、図３に示すように、指針３２の指針軸が挿通する軸挿通孔２０ｂの周囲のハーフミラー層２８の表面部２８ａが、ヘアライン処理面２７による外来光ｃ２の拡散によって、略均一なモノトーンの金属調の風合いの意匠を示す。
【００５５】
これに対して、第１の光源４３から文字板照明光ｃ１の照明を受ける速度計１の動作時には、ヘアライン処理面２７の溝２７ａが文字板照明光ｃ１を拡散させることで、溝２７ａが淡く写し出されると共に、第３領域Ｓ２３に対応する範囲には、着色層２５による発色が写し出された意匠を示す。
【００５６】
以上に説明した一実施形態の指示計器用文字板２０によれば、文字板表面に金属調の風合いの意匠を醸し出すヘアライン状の凹凸構造は、基板２３の表面に微細な筋状の溝２７ａを設けることで形成する。即ち、基板２３の表面自体が、ヘアライン処理面２７となっている。そして、このヘアライン処理面２７の上には、スパッタリングによってハーフミラー層２８が形成されており、このハーフミラー層２８が、ヘアライン処理面２７に入射する外来光を弱める。従って、特に外来光を弱めるスモーク層を装備せずとも、基板２３表面における外来光の拡散反射が抑えられ、ぎらつきの発生を防止することができる。
【００５７】
即ち、スモーク層を設けずとも、ぎらつきが無く落ち着いた金属調の風合いの意匠を、文字板表面に具現することができ、従来では装備していたスモーク層を省略することで、指示計器用文字板の製造工程を簡略化して、指示計器用文字板の製造コストを低減することができる。従って、ぎらつきが無く落ち着いた金属調の風合いの意匠を、文字板表面に低コストで具現することができる。
【００５８】
また、金属調の風合いの意匠を醸し出すヘアライン状の凹凸構造は、その上を覆うハーフミラー層２８が保護する。そのため、保管時等に、ヘアライン状の凹凸構造が周囲の器物との接触により汚損することを防止することができる。言い換えれば、金属調の風合いの品質が、ヘアライン状の凹凸構造の汚損によって文字板の表面の一部域で低下するといった不具合の発生を防止することができる。
【００５９】
そのため、金属調の風合いの品質を維持し易く、指示計器用文字板における品質管理を容易にすることができる。
【００６０】
更に、以上に説明した一実施形態の指示計器用文字板２０によれば、指示計器用文字板２０の裏面に文字板照明光ｃ１が照射されない速度計１の非動作時には、速度計１において、ぎらつきが無く落ち着いた金属調の風合いの意匠を付与することができる。そして、指示計器用文字板２０の裏面に文字板照明光ｃ１が照射される速度計１の動作時には、指示計器用文字板２０上に設定した第３領域Ｓ２３を着色層２５の色彩に発色させることができるため、第３領域Ｓ２３の形状や、着色層２５における色彩を設計変更することで、速度計１において、発色域や発色する色彩が異なる多種の指示計器用文字板２０を比較的容易に提供することが可能になり、指示計器の仕様変更等への対応を容易にすることができる。
【００６１】
なお、本発明は、上述した実施形態に限定されるものではなく、適宜、変形、改良、等が可能である。その他、上述した実施形態における各構成要素の材質、形状、寸法、数、配置箇所、等は本発明を達成できるものであれば任意であり、限定されない。
【００６２】
例えば、本実施形態の指示計器用文字板が使用される指示計器は、上記実施形態で示した車両の速度計に限らない。車両に搭載される速度計以外の指示計器（例えば、回転計）にも摘要することができる。更に、車両以外の設備で使用される各種の指示計器にも、摘要することが可能である。
【００６３】
ここで、上述した本発明に係る指示計器用文字板の実施形態の特徴をそれぞれ以下［１］〜［２］に簡潔に纏めて列記する。
【００６４】
［１］  透明又は半透明の材料で板状に形成されると共にその表面側には計測値の報知に必要な指標（２１）が配置されて、裏面に指示計器内の光源（４３）からの文字板照明光（ｃ１）が照射される基板（２３）と、
前記指示計器の外部から前記基板（２３）の表面に入射する外来光（ｃ２）をヘアライン状の凹凸によって拡散させることで前記基板（２３）の表面に金属調の風合いを醸し出すヘアライン処理面（２７）と、
を備える指示計器用文字板（２０）であって、
前記基板（２３）の表面に微細な筋状の溝（２７ａ）を形成することで、前記基板（２３）の表面自体が前記ヘアライン処理面（２７）に仕上げられた前記基板（２３）と、
スパッタリングによって前記ヘアライン処理面（２７）の上を覆う薄膜状に形成されて、前記外来光（ｃ２）の一部を前記基板（２３）内に透過させると共に、前記外来光（ｃ２）の一部を反射するハーフミラー層（２８）と、
を備えることを特徴とする指示計器用文字板（２０）。
【００６５】
［２］  前記光源（４３）と対向する前記基板（２３）の裏面の一部に設定された第１領域（Ｓ１）に装備されて前記第１領域（Ｓ１）を前記光源（４３）の照明光（ｃ１）が透過しない遮光領域に仕上げる遮光層（２４）と、
前記基板（２３）の裏面の前記第１領域（Ｓ１）を除く領域である第２領域（Ｓ２）の一部に設定される第３領域（Ｓ２３）に前記照明光（ｃ１）が透過可能に装備されて、前記第３領域（Ｓ２３）を透過する前記照明光（ｃ１）を所定の色彩に着色して前記基板（２３）を透過させる着色層（２５）と、
を備えることを特徴とする上記［１］に記載の指示計器用文字板（２０）。
【符号の説明】
【００６６】
１  指示計器速度計
２０  指示計器用文字板
２１ａ  文字
２１ｂ  目盛
２３  基板
２４  遮光層
２５  着色層
２７  ヘアライン処理面
２７ａ  筋状の溝
２８  ハーフミラー層
４３  光源
ｃ１  文字板照明光
ｃ２  外来光
Ｓ１  第１領域
Ｓ２  第２領域
Ｓ２３  第３領域
【図１】
2014032089.tif 000003
【図２】
2014032089.tif 000004
【図３】
2014032089.tif 000005
【図４】
2014032089.tif 000006
【図５】
2014032089.tif 000007
【図６】
2014032089.tif 000008
【図７】
2014032089.tif 000009